(57)【要約】【課題】  ルースチューブ構造を有する光ファイバ・ケーブルの多心化に際して発生するケーブル構造の複雑化および製造コストの上昇といった従来技術における問題点を解決すること。【解決手段】  光ファイバ・ケーブルが複数の光ファイバ束を含み、各々のファイバ束は複数の光ファイバ・ケーブル・ユニットを含み、そのユニットを比較的薄い膜がとり囲んで、ユニットをファイバ束の長さ方向にわたって所望の構成に保持する。各々のユニットは、複数の光ファイバ、およびファイバをとり囲む第１の外側被覆を含む。ファイバ束はケーブルの第２の外側被覆によって保護するように包み込まれる。図示する実施例において、各々のユニットは１２本のファイバを有し、各々のファイバ束は１２個のユニットを含み、６つのファイバ束が第２の外側被覆によって保護するように包み込まれる。したがってケーブルはそれぞれが色、および／あるいは印をつけることによって追跡が可能な４３２本の光ファイバを含む。【選択図】  図１０
2005316493.tif 000002
【特許請求の範囲】
【請求項１】
光ファイバ・ケーブルであって、
複数の光ファイバ束を含み、
各々の光ファイバ束が、複数の光ファイバ・ケーブル・ユニットと、前記光ファイバ・ケーブル・ユニットを前記光ファイバ束の全長にわたって第１の所望の構成に保持するように前記光ファイバ・ケーブル・ユニットをとり囲む薄い膜とを含み、
各々の前記光ファイバ・ケーブル・ユニットが、複数の光ファイバと、前記光ファイバを保護するようにとり囲む第１の外側被覆とを含み、前記光ファイバ・ケーブルはさらに、
前記光ファイバ束を保護するように包み込み、かつ前記光ファイバ・ケーブル・ユニットの全長にわたって前記光ファイバ束を第２の所望の構成に保持する寸法で配置された第２の外側被覆を含むことを特徴とする光ファイバ・ケーブル。
【請求項２】
所望の引張り強度を付与するために、前記ケーブルの長さ方向に沿って配設された１つ以上の補強部材を含むことを特徴とする請求項１に記載のケーブル。
【請求項３】
１つ以上の前記光ファイバ束のそれぞれが、前記光ファイバ束の光ファイバ・ケーブル・ユニットを前記ファイバ束の長さ方向に沿って第１の所望の構成に保持するための中心部充填部材を有することを特徴とする請求項１または２に記載のケーブル。
【請求項４】
前記光ファイバ束のそれぞれが、膜を切り開いて前記光ファイバ束の前記光ファイバ・ケーブル・ユニットへの接触を可能にするための、前記光ファイバ束の膜の内周面の近くに延びた前記膜に関わる第１の引き裂き紐を有することを特徴とする請求項１乃至３のいずれかに記載のケーブル。
【請求項５】
前記光ファイバ・ケーブル・ユニットのそれぞれが、被覆を開いて前記光ファイバ・ケーブル・ユニットの光ファイバを露出させるための、前記第１の外側被覆の内周面の近くに延びた前記光ファイバ・ケーブル・ユニットに関わる第２の引き裂き紐を有することを特徴とする請求項４に記載のケーブル。
【請求項６】
前記第２の外側被覆を開いてケーブル内の光ファイバ束を露出させるための、前記第２の外側被覆に関わる１つ以上の第３の引き裂き紐を含むことを特徴とする請求項５に記載のケーブル。
【請求項７】
前記光ファイバ束の膜が識別のために符号を付けられていることを特徴とする請求項１乃至６のいずれかに記載のケーブル。
【請求項８】
前記光ファイバ・ケーブル・ユニットの第１の外側被覆には、識別のために符号が付されていることを特徴とする請求項１乃至７のいずれかに記載のケーブル。
【請求項９】
前記光ファイバ束を包含するコア管を含み、かつ１つ以上の補強部材が所望の引張り強度を付与するために前記ケーブルの長さ方向に沿って前記第２の外側被覆の中に埋め込まれていることを特徴とする請求項１乃至８のいずれかに記載のケーブル。
【請求項１０】
前記光ファイバを少なくとも４３２本含むことを特徴とする請求項１乃至９のいずれかに記載のケーブル。
【発明の詳細な説明】
【技術分野】
【０００１】
本発明は通信ケーブルの構成、特に多数の光ファイバを収容するケーブル構成に関わる。
【背景技術】
【０００２】
通信、情報ネットワーク用の光ファイバでは、それぞれのファイバのクラッドを柔らかいプラスチックの緩衝層が覆い、さらに該緩衝層の周囲の硬い外層が、環境からファイバを守るように個別に供給される。また、ファイバは、ケーブル被覆によってとり囲まれた１本以上の柔軟な中空管の内部にゆるく収納された構造の「ルースチューブ」ケーブルの形で供給されることもあり、それによってケーブルの施工中、あるいは現場での使用過程においてファイバが受ける過度の応力を避けることが出来る。
【０００３】
ルースチューブ・ケーブルは、ケーブルに剛性を持たせ、かつ、個々のファイバを所望の構成とするための硬い芯の機能を果たす絶縁性中心部材を中心に含んでもよい。通常、ルースチューブ・ケーブルは、屋外で使用する場合、緩衝材として作用し水分を防ぐためのジェルが充填されている。
【０００４】
単一のケーブルを作るために、複数のファイバを含む複数のルースチューブ・ケーブルを単一の被覆により一緒に束ねて単一のケーブルとしてもよい。例えば、それぞれが１２本のファイバからなるルースチューブ・ケーブル１８本を一緒に被覆することにより２１６心ファイバ・ケーブルとしてもよい。Ｊ．Ｈｅｃｈｔ、「光ファイバの理解（Understanding Fiber Optics）」（プレンティスホール（Prentice Hall）（第３版．１９９９年）、第１５２頁乃至第１５５頁（Ｈｅｃｈｔ））を参照のこと。ルースチューブ・ケーブルはそれぞれの管内に４、６、あるいは８本のファイバを内包するものも使われる。
【０００５】
ＯＦＳが提供可能な、いわゆるエクスプレス・チューブ（Ｘｐｒｅｓｓ Ｔｕｂｅ（登録商標）ケーブルは、色分けされた外側被覆に内包されたそれぞれが１２本のファイバと引き裂き紐を含むことを特徴とする複数のルースチューブ・ケーブル・ユニットからなっている。コア管がすべての１２心ファイバ・ケーブル・ユニットをとり囲み、その管が高密度ポリエチレン（ＨＤＰＥ）被覆でカバーされ、その中に向かい合う形で配された１組の引き裂き紐と強度部材（金属、あるいは絶縁物）が埋め込まれる。したがって、１２心のファイバを有する１２本のケーブル・ユニットからなるエクスプレス・チューブ・ケーブルは、すべてが容易に識別され処置出来る合計１４４心のファイバを持つことになる。米国特許第４、９０９、５９３号（１９９０年５月２０日）、第５、１５５、７８９号（１９９２年１０月１３日）及び第４、８２２、１３２号（１９８９年４月１８日）を参照のこと。
【０００６】
複数のファイバをグルーピングし、除去可能な被覆をかけてファイバ・モジュールを形成し、それから複数のモジュールを一般的な外側被覆で覆うという基本的な概念は、マイクロシース・ケーブル構成として知られている。Ｐ．Ｔｒｏｍｂｅｒｔ他「マイクロシース・ケーブル；新しい設計（The Microsheath Cables;  A Novel Design）」（国際電線ケーブルシンポジウム会報（International Wire and Cable Symposium Proceedings）（１９９１年）、第２４頁乃至第３０頁）、Ｐ．Ｊａｍｅｔ他「マイクロシース・ケーブルの製造、ならびに現場実験（Manufacturing and Field Experimentation of Microsheath Cable）」（国際電線ケーブルシンポジウム会報（Int'l Wire and Cable Symp. Proc.）（１９９４年）、第１９６頁乃至第２０２頁）、及びＳ．Ｐａｓｔｕｓｚｋａ他「新しいタイプの多心、小径で施工性のよい光ケーブル（A New Type of High Fiber Count, Low Dimension Optical Cable With Simplified Installation Characteristics）」（国際電線ケーブルシンポジウム会報（Int'l Wire and Cable Symp. Proc.）（１９９９年）、第１０６頁乃至第１１１頁）を参照のこと。
【発明の開示】
【発明が解決しようとする課題】
【０００７】
２１６心以上のファイバを有するエクスプレス・チューブ、あるいは他のマイクロシース・ケーブルは通常、それぞれが１２心のファイバを含むファイバ・モジュールを用いて作られている。したがって、２１６心ファイバ・ケーブルにはそのようなモジュールが１８本必要となる。それぞれが１２心以上のモジュールを製造することは困難であり、コスト高となるので、ファイバが２１６心以上のケーブルは１ケーブル構成について１８以上のモジュールを組み合わせねばならない。この制約が製造工程をきわめて複雑にする。さらに、内部の個々のファイバの識別と処置が難しくなる。
【特許文献１】米国特許第４、９０９、５９３号（１９９０年５月２０日）
【特許文献２】米国特許第５、１５５、７８９号（１９９２年１０月１３日）
【特許文献３】米国特許第４、８２２、１３２号（１９８９年４月１８日）
【非特許文献１】Ｊ．Ｈｅｃｈｔ、「光ファイバの理解（Understanding Fiber Optics）」（プレンティスホール（Prentice Hall）（第３版）、第１５２頁乃至第１５５頁）
【非特許文献２】Ｐ．Ｔｒｏｍｂｅｒｔ他「マイクロシース・ケーブル；新しい設計（The Microsheath Cables; A Novel Design）」（国際電線ケーブルシンポジウム会報（International Wire and Cable Symposium Proceedings）（１９９１）、第２４頁乃至第３０頁）
【非特許文献３】Ｐ．Ｊａｍｅｔ他「マイクロシース・ケーブルの製造、ならびに現場実験（Manufacturing and Field Experimentation of Microsheath Cable）」（国際電線ケーブルシンポジウム会報（International Wire and Cable Symposium Proceedings）（１９９４）、第１９６頁乃至第２０２頁）
【非特許文献４】Ｓ．Ｐａｓｔｕｓｚｋａ他「新しいタイプの多心、小径で施工性のよい光ケーブル（A New Type of High Fiber Count, Low Dimension Optical Cable With Simplified Installation Characteristics）」（国際電線ケーブルシンポジウム会報（The Microsheath Cables;A Novel Design）（１９９９）、第１０６頁乃至第１１１頁）
【課題を解決するための手段】
【０００８】
本発明によれば、光ファイバ・ケーブルは複数の光ファイバ束を含む。各々のファイバ束は複数の光ファイバ・ケーブル・ユニットを含み、比較的薄い膜がケーブル・ユニットをとり囲んでファイバ束の全長にわたってユニットを第１の構成に保持する。各々のケーブル・ユニットは複数の光ファイバと、そのファイバをとり囲む外側被覆を含む。ファイバ束はケーブルの外側被覆によって保護されるように包まれ、第２の構成に保持される。
【０００９】
図示する実施例において、６つのファイバ束がケーブルの内側に配され、ファイバ束の周囲を取り巻く膜が識別のために符号がつけられる。各ファイバ束は６つのケーブル・ユニットを含み、その被覆にも符号がつけられ、さらに各々のケーブル・ユニットはそれぞれに符号をつけられた１２本のファイバを含む。こうして、合計４３２本のファイバがケーブルに収められ、いずれのファイバも所望のとおりに容易に処置が可能となる。
【発明を実施するための最良の形態】
【００１０】
本発明のよりよい理解のために、添付の図、および添付の請求の範囲を参照しつつ、以下に説明する。なお、これらの図面は必ずしも寸法通りではない。
【００１１】
図１は、モジュールの光ファイバ・ケーブル・ユニット１０の軸に直交する断面図である。ユニット１０は、多数の個々の光ファイバ１２を含み、それらは識別のために、例えば、色、および／あるいは印をつけることにより符号をつけられた外側保護層を有する。
ファイバ１２は、例えば直鎖状低密度ポリエチレン（ＬＬＤＰＥ）のようなポリオレフィンで出来た一般的な被覆１４によりとり囲まれている。被覆１４は比較的薄く、例えば、約０．００８インチ（０．２ｍｍ）より厚くない。図示した実施例において、ケーブル・ユニット１０は１２本の光ファイバからなり、被覆１４の公称外径は好ましくは０．０５９インチ（１．５ｍｍ）を越えない。充填剤、あるいはジェル１６は被覆１４の内側の隙間を埋め、引き裂き紐１８は被覆の内周に沿ってケーブル・ユニットの反対側の端まで延びている。そのため、紐１８の自由端を引っ張ることにより被覆１４が開かれ、色、および／あるいは印によって個々のファイバ１２の露出端が識別される。
【００１２】
図２は２４心ファイバ束２０の断面図であって、ファイバ束２０は図１のケーブル・ユニット１０を２つ含んでいる。ファイバ束２０は、２つのケーブル・ユニットをファイバ束の全長にわたって互いに密着させ、かつ個々のユニットをある程度保護するＬＬＤＰＥ、ポリプロピレン、あるいは同等の材料からなる薄い膜２２を有している。膜の厚さは好ましくは約０．００８ｍｍインチ（０．２ｍｍ）よりも厚くない。
【００１３】
ファイバ束２０の内側の膜２２とケーブル・ユニット１０の被覆１４の間には、隙間を埋め、水分を減ずる、あるいは除去するためにアラミド、ガラス繊維、高吸収性粉末、および／あるいは水分で膨張するテープなどが配されてもよい。各ケーブル・ユニットの内側の引き裂き紐１８に加えて、ファイバ束引き裂き紐２８が膜２２の内周に沿ってファイバ束２０の全長にわたって延びているので、個々のケーブル・ユニットを処置するためにファイバ束のそれぞれ反対の端で膜を開くことが出来る。
【００１４】
図３は、本発明による３６心ファイバ束３０の断面図であって、ファイバ束３０は図１のケーブル・ユニット３つからなる。ＬＬＤＰＥ、ポリプロピレン、あるいは同等の材料からなるファイバ束の薄い膜３２が、個々のケーブル・ユニットをファイバ束の全長にわたって互いにひとまとめにし、かつユニットをある程度保護している。膜３２の内周近くでファイバ束引き裂き紐３８がファイバ束３０の全長にわたって延び、ケーブル・ユニット１０の被覆１４とファイバ束の膜３２との間の隙間を埋めるためにアラミド、ガラス繊維、高吸収性粉末、および／あるいは水分で膨張するテープなどの吸水性材料が配されてもよい。
【００１５】
図４は、本発明による４８心ファイバ束４０の断面図である。図１のケーブル・ユニット１０が４つＬＬＤＰＥ、ポリプロピレン、あるいは同等の材料からなる薄い膜４２によって、ファイバ束の全長にわたって密にひとまとめにされている。ファイバ束引き裂き紐４８がファイバ束の膜４２の内面に近くでファイバ束の全長にわたって延び、かつ、１つ以上の水分吸収材料がケーブル・ユニット１０の被覆１４とファイバ束の膜４２との間の隙間を埋めてもよい。
【００１６】
必要であれば、ファイバ束３０、４０のケーブル・ユニット１０はそれぞれのファイバ束の軸に沿って延びる中心部材、あるいは充填部材（図３、４に図示しない）に添わせてもよい。また、個々のケーブル・ユニット１０は、充填部材のまわりに一方向に連続してよられて配置されても、あるいは充填部材のまわりのよりの方向（時計回り、あるいは反時計回り）があるねじれ回数ごとに変わる反転振動配置（ＲＯＬ）で配置されても、あるいはユニット１０がよられずに配置されてもよい。
【００１７】
図５は、本発明による７２心ファイバ束５０の断面図である。図１のケーブル・ユニット１０が６つ、ファイバ束５０の全長にわたってユニット１０を互いにひとまとめにするよう薄い膜５２によって取り巻かれている。ファイバ束の膜３２、４２と同様、膜５２は好ましくは約０．００８インチ（０．２ｍｍ）よりは厚くないＬＬＤＰＥ、ポリプロピレン、あるいは同等の材料からなる。ファイバ束の膜５２の内表面近くに配したファイバ束引き裂き紐５８がファイバ束５０の全長にわたって延び、ファイバ束５０の各端でその紐の自由端を引っ張って幕を引き裂いて開くことにより個々のケーブル・ユニットへの処置を可能にしている。また、アラミド、ガラス繊維、および／あるいは水分で膨張するテープなどの吸水性材料がケーブル・ユニット被覆１４とファイバ束の膜５２の内表面との間に詰められてもよい。
【００１８】
図６は、本発明による７２心ファイバ束６０の他の実施例の断面図である。図５の実施例における構成要素と同じ、あるいは類似の構成要素は同じ参照番号となっている。ファイバ束６０は中心部材、あるいは充填部材６２が加わることで図５のファイバ束５０とは異なっている。充填部材６２はプラスチック（例えば、ＨＤＰＥ）棒、ガラス棒、あるいは、例えばＨＤＰＥを含むプラスチック材料で被覆（上掛け）されたガラス棒の形をしたものでもよい。上に述べたように、充填部材６２の目的はむしろファイバ束６０に対して引張り強度を分担するよりも、図６に示すように個々のケーブル・ユニット１０をファイバ束６０の全長にわたって互いに所定の方向に保つことである。図５、および６に示す７２心ファイバ束５０、および６０は好ましくは０．１９３インチ（４．９ｍｍ）より大きくない外径を有する。
【００１９】
図７は、本発明による４３２心光ファイバ・ケーブルコア７０の第１の実施例の断面図である。ケーブル・コア７０は図５に示される７２心ファイバ束５０を６つ含む。各々のファイバ束の薄い膜５２は、ファイバ束に収容されているケーブル・ユニット１０の所望のユニットの位置を知り、処置を可能にするために色、および／あるいは印により符号をつけてもよい。すべてのファイバ束５０は、外径が、例えば、約０．７４インチ（１８．７６ｍｍ）で、内径が、例えば、約０．７４インチ（１５．２４ｍｍ）のコア管７２に収容されている。コア管７２は好ましくは、例えば、肉厚が約０．０３５インチ（０．８９ｍｍ）のポリエチレンなどのプラスチックからなる。図７のケーブル・コア７０は充填部材が何もなく、水分で膨張する繊維７４が詰められ、コア管７２の内周面上に水分により膨張するテープ７６の層を有している。それぞれのファイバ束５０に沿った水の浸入は、ファイバ束の膜５２を覆うように高吸水性の粉末を入れることによっても防止できる。
【００２０】
図８は、本発明による４３２心光ファイバ・ケーブルコア８０の第２の実施例の断面図である。ケーブル・コア８０は、図７のコア管７２と同じ、あるいは似たコア管８２からなる。しかしながら、図７の実施例と違って、ケーブル・コア８０は充填部材８４とあいまって６つの図６に示す７２心ファイバ束６０からなる規則正しい、あるいは対称的な構成となっている。充填部材８４は、実質的にコア軸と一致するケーブル・コア全長にわたっている。ファイバ束６０の膜５２も好ましくはコア内側の３６個のケーブル・ユニットの中の所定のファイバの識別を容易にするために色、および／あるいは印をつけることで符号をつけられる。個々のファイバ束６０とコア管８２の間の隙間は繊維（図示しない）を詰めてもよく、また、水分を低減、あるいは除去するためにコア管８２の内周面に遮水テープ層８６を配してもよい。コア管８２は図７の実施例における管７２と同じ材料、および寸法で形成されてもよい。
【００２１】
図９は、本発明による４３２心光ファイバ・ケーブルコア９０の第３の実施例の断面図である。図９の構成はいわゆるセントラルコア・ケーブル構造であって、コア管９２、およびそれぞれが図１に示すケーブル・ユニットを１２個含む３つのファイバ束９４を含む。各々のファイバ束９４は、異なる色に着色された厚さが約０．００８インチのポリプロピレンの薄い膜９６を有してもよい。コア管９２の外径は約０．７２インチ（１８．３ｍｍ）であり、各々のファイバ束９４の外径は約０．２６インチ（６．６ｍｍ）である。こうして、各ファイバ束は１４４心の光ファイバを含み、いずれのファイバも適切な符号付けと複数の引き裂き紐とによって識別、処置が可能となる。先に述べた実施例のように、個々のファイバ束の膜９６とコア管との間の隙間は繊維（図示しない）を詰められてもよく、水分を低減、あるいは除去するためにコア管８２の内周面に遮水テープ層９８が配されてもよい。
【００２２】
図１０は、本発明により完成した４３２心光ファイバ・ケーブル１００のケーブル軸に直交する断面図である。ケーブル１００は屋外、および／あるいは地下における種々の用途に適している。ポリエチレン、あるいは同等の材料からなる保護のための外側被覆１０２が、コア管８２の外周面を覆う。また、一対の引き裂き紐１０４、１０６が外側被覆１０２の壁の内側表面近く、ほぼ反対側の位置に埋め込まれる。さらに、所望の強度とケーブル１００に対して剛性を与えるために、一対の絶縁性の強化部材１０８、１００が被覆壁の全長にわたって互いに反対側の位置に埋め込まれる。ケーブル１００の外径は、例えば、約１．０５インチ（２６．８ｍｍ）である。
【００２３】
また、１つ以上の個々のファイバ束２０、３０、４０、５０、あるいは６０が物理的にファイバ束を保護する役割を果たす既存の管路あるいは引き込み管に通すために吹き込まれ、あるいは他の既知の方法で設置されることにより、コア管、および／あるいはファイバ束の周囲の外側被覆を不要としてもよい。それはファイバ束がそれぞれ、より多心の光ファイバ・ケーブルの一部を形成するのではないところで使われてもよいということである。
【００２４】
図１１は、図１０のケーブル１００の中心部コア構造とは対照的にすべてが「ルースチューブ」構造の４３２心ファイバ・ケーブル１５０の断面図である。２つの構造の違いは、敷設のときに予想される荷重に耐えるために必要な引張り強度と剛性を与えるための部材の位置にある。ルースチューブ・ケーブル１５０においては、中心部材１５２には、所謂荷重を負担すること（つまり、強化部材として働くこと）と、例えば、６つの７２心ファイバ束６０を配列するまとめ役として機能することの２つの目的がある。ケーブル１５０には図１０のケーブル１００の被覆１０２の中の部材１１０のようにケーブル被覆１５４に埋め込まれた強度部材がないことに注目すべきである。中心部材１５２は、例えば、ガラス強化ポリエステル（ＧＲＰ）で形成されてもよく、基本的にはＰＥ層のシースがかけられ（上掛けされ）外径が約０．２２インチ（５．５ｍｍ）になる、直径が約０．１４インチ（３．５ｍｍ）のガラス棒である。ガラス棒は柔軟性があり、一般的には繊維からなる。
【００２５】
中心部材１５２にガラスを使うことは、ケーブルが電気導体として望ましくない作用をすることを防止する。したがって、ケーブル１００、１５０のいずれにおいても金属部材の使用は避けることが望ましい。
【００２６】
ケーブル敷設後、ケーブルが保持されるクロージャ箱、あるいはマンホールが水で溢れるとケーブル内部に水が浸入する可能性が常にある。特に、クロージャ箱は電柱間に架空ケーブルを敷設するときに使われ、箱の一側面から入った１本のケーブルのファイバは、通常は箱の反対側側面から２本以上のケーブルに分かれて外に出る。もし、しっかりと封止されていないと、水が箱の中に入り、関連するケーブル内部に伝わっていく。
【００２７】
図１１の中心部材１５２のようなケーブル要素に沿った水の伝播を防止するために、水を阻止する材料、例えば（ｉ）高吸収性粉末、（ｉｉ）高吸収性粉末が付着した繊維、あるいは糸、（ｉｉｉ）水封止粉末が付着したテープ、あるいは単に水封止テープが使われてもよい。これらの材料は水、またはジェルが存在すると膨張してその体積を数倍に増大させ、水の伝播を効果的に止めるコロイド状の物質を形成する。
【００２８】
特に、図１１のルースチューブ・ケーブル１５０において、６つのファイバ束６０の周りに水で膨張するテープ１５６を約０．０２インチ（０．５ｍｍ）の厚さにしっかりと巻き重ねる。次いで、アラミド繊維１５８をテープ１５６の上に同じく約０．０２インチ（０．５ｍｍ）の厚さに巻き重ねる。しかしながら、テープ中の水を阻止する物質がケーブル１５０の中心方向に分散、拡散するために時間がかかるため、テープ１５６だけでは中心部材１５２に沿って浸入する水を防止するには不十分である。つまり、水を阻止するために膨張がすばやく進まねばならないということである。したがって、膨張性の繊維、あるいは糸（図示しない）を中心部材１５２の周囲に直接配することが望ましい。
【００２９】
これまで述べたことは本発明の好ましい実施例であるが、本発明の精神と範囲から逸脱することなく種々の改良、変更が行われ得るものであり、またそのような改良、変更は本特許の特許請求の範囲内に含まれるものであることを、当業者は理解するべきである。
【図面の簡単な説明】
【００３０】
【図１】光ファイバ・ユニット、あるいはモジュールの断面図。
【図２】２４心ファイバ束の断面図。
【図３】３６心ファイバ束の断面図。
【図４】４８心ファイバ束の断面図。
【図５】７２心ファイバ束の断面図。
【図６】７２心ファイバ束の他の実施例の断面図。
【図７】４３２心ファイバ・ケーブル・コアの第１の実施例。
【図８】４３２心ファイバ・ケーブル・コアの第２の実施例。
【図９】４３２心ファイバ・ケーブル・コアの第３の実施例。
【図１０】第８図のケーブル・コアを含む４３２心ファイバ・ケーブルの断面図。
【図１１】全体がルースチューブ構造を持つ４３２心ファイバ・ケーブルの断面図。
【符号の説明】
【００３１】
１０                                光ファイバ・ケーブル・ユニット
１２                                光ファイバ
１４、１０２、１５４                被覆
１６                                ジェル
１８、１０４、１０６                引き裂き紐
２０、３０、４０、５０、６０、９４  ファイバ束
２２、３２、４２、５２    、９６        膜
２８、３８、４８、５８              ファイバ束引き裂き紐
６２、８４、１５２                  中心部材、充填部材
７０、８０、９０                    ケーブル・コア
７２、８２                          コア管
７４                                水分で膨張する繊維
７６、１５６                        水分で膨張するテープ
９８                                遮水テープ
１００                              ケーブル
１０８、１１０                      絶縁性強化部材
１５０                              ルースチューブ・ケーブル
１５８                              アラミド繊維
【図１】
2005316493.tif 000003
【図２】
2005316493.tif 000004
【図３】
2005316493.tif 000005
【図４】
2005316493.tif 000006
【図５】
2005316493.tif 000007
【図６】
2005316493.tif 000008
【図７】
2005316493.tif 000009
【図８】
2005316493.tif 000010
【図９】
2005316493.tif 000011
【図１０】
2005316493.tif 000012
【図１１】
2005316493.tif 000013